(57)【特許請求の範囲】
【請求項１】
専用シューターを利用してそれ自体として回転動作することができる独楽玩具単位体に対して回転動作を阻害しない大きさに規制された着脱可能なキャラクター形状を利用し、追加的附属品を着脱できるようにした立体的附属品を取り付けるようにし、更に着脱可能な立体的附属品がペットボトルキャップのホルダーとしても利用し得るものであり、しかも専用シューターに独楽玩具をセットした状態が全体として立体的キャラクター形状となっていることを特徴とする立体的な着脱部材を備えた独楽玩具。
【請求項２】
独楽玩具単位体が専用シューターに対して上面側からも下面側からも回転動作のためのセットができるようにされていることを特徴とする請求項１に記載の立体的な着脱部材を備えた独楽玩具。
【発明の詳細な説明】
【０００１】
【発明の属する技術分野】
本発明は、専用シューターに内蔵されたスプリングの捻じれ力を利用して保持させた独楽を回転動作せしめて遊具とする独楽玩具について、着脱できる立体的な附属品を備えた状態でも回転動作できるものとすることで多様に変化し得る新たな製品を提供しようとするものである。
【０００２】
【従来の技術】
専用シューターに内蔵したスプリングの捻じれ力を利用してセットした独楽玩具に対して回転力を与える形式のものは近時広く普及している。
すなわち、独楽玩具の上面中央に専用シューターの回転力伝達凸部を受け入れる凹部を形成し、セット保持して独楽玩具を捻ることでスプリングの捻じれ力を蓄積し、専用シューターの押圧ボタンを操作して保持した独楽玩具に回転力を付与して解放し回転動作させるもので、現在では一般的な玩具店で容易に購入できる独楽玩具として主流の製品になっている。
【０００３】
上記に対して、独楽玩具下面中央の回転軸部分に回転力伝達凸部を受入れる凹部を形成してセット保持させることで、専用シューターから上方へ射出して回転動作させるタイプの新しい独楽玩具が実願２００１−３２２９号として本件出願人によって提案されている。
【０００４】
【発明が解決しようとする課題】
しかし、上記したような従来の技術では、独楽玩具自体の形状や色彩、模様などの装飾は固定的なものであり、サイズや装飾の種類などについてヴァリエーションがあるとしても購入者がカスタマイズするような製品とはなっていない。
【０００５】
つまり、専用シューターによって適切に回転動作を付与し得る独楽玩具の大きさや重量、形状にはある程度の幅があるが、個々の独楽玩具に対して購入者などがこれらに変化を与える立体的な附属品などを備えさせることは何等提案されておらず、この点において需要者の嗜好に十分に応えるものとなっていなかった。
【０００６】
すなわち、回転動作している独楽玩具同士をバトルさせて勝敗を競う形式の遊び方が近時流行しており、この点から言えば競技性向上のために独楽玩具に対するカスタム化の要求が存在し得るが、これに応えることはできていない。また、独楽玩具の装飾性を購入者が向上する附属品を適宜に選択して取付け得るようにする発想もなされていなかった。
【０００７】
なお、上記したところは出願人が提案した専用シューターによって下方から撃ち出すタイプの独楽玩具についても同様に言えるところである。
【０００８】
【課題を解決するための手段】
本発明は、上記したような従来技術における課題を解消することについて、実験と検討を繰り返し行い創案されたものであって、それ自体としても回転動作できる専用シューターを用いた比較的小型の独楽玩具単位体に対して適切な回転動作付与を阻害しない範囲で着脱可能な立体的附属品を取付けて形状やサイズ、重さ、装飾性などについて適宜なカスタム化を図れる新規な発想による独楽玩具を提案するものであって、具体的には以下のとおりである。
【０００９】
（１）専用シューターを利用してそれ自体として回転動作することができる独楽玩具単位体に対して回転動作を阻害しない大きさに規制された着脱可能なキャラクター形状を利用し、追加的附属品を着脱できるようにした立体的附属品を取り付けるようにし、更に着脱可能な立体的附属品がペットボトルキャップのホルダーとしても利用し得るものであり、しかも専用シューターに独楽玩具をセットした状態が全体として立体的キャラクター形状となっていることを特徴とする立体的な着脱部材を備えた独楽玩具。
【００１０】
（２）独楽玩具単位体が専用シューターに対して上面側からも下面側からも回転動作のためのセットができるようにされていることを特徴とする前記（１）項に記載の立体的な着脱部材を備えた独楽玩具。
【００１５】
【作用】
専用シューターを利用してそれ自体として回転動作することができる独楽玩具単位体に対して回転動作を阻害しない大きさに規制された着脱可能な立体的付属品を取付け得るようにしたことで、独楽玩具単位体自体で通常の独楽玩具としての遊び方を実施できると共に適宜な立体的附属品の着脱によってカスタマイズ化を図ることでオリジナル性に優れた独楽玩具を購入者が任意に作成することが可能となる。
【００１６】
着脱可能な立体的付属品がキャラクター形状を利用したものとすることで、より購入者の趣味性・嗜好性を反映した独楽玩具となし得る。なお、この場合のキャラクター形状は、独楽玩具の回転動作自体を阻害しない程度のものに規制されるべきである。
【００１７】
キャラクター形状の立体的付属品に対して更に追加付属品を着脱できるようにしたことで、さらに変化に富んだ独楽玩具のカスタマイズ化を図ることが可能となる。ここでの追加的附属品とは、例えば、キャラクター形状の腕部分などに持たせる各種部品などを想定するものであるが、この場合には専用シューターによる回転動作に起因する遠心力で追加的附属品が飛び散ったりすることがないように確実な取付け保持を実現すべきである。
【００１８】
専用シューターに独楽玩具をセットした状態が全体として立体的キャラクター形状となっていることで、本発明の独楽玩具を専用シューターにセットして保持した状態がそのまま立体的キャラクター形状となるので、従来にない新たな発想の組合わせ玩具として提案することが可能となる。
【００１９】
着脱可能な立体的付属品が円形缶バッチやペットボトルキャップのホルダーとして利用し得るものとすることで、円形缶バッチやペットボトルキャップの如きを独楽玩具に取付けた立体的着脱附属品に保持させた状態でも専用シューターによる回転動作を行えるようになり、需要者のコレクション性などにも応えることができる独楽玩具となし得る。
【００２０】
独楽玩具単位体が専用シューターに対して上面側からも下面側からも回転動作のためのセットができるようにされていることで、専用シューターによる独楽玩具への回転付与を上面側からも下面側からも行えるものとなしえ、本発明独楽玩具による遊び方をよりヴァリエーションに富んだものとなし得る。
【００２１】
【発明の実施の形態】
上記した本発明の具体的な実施形態の若干例について、添付図面に基づいて説明すると以下のとおりである。
【００２２】
図１は、本発明による立体的着脱附属品２を備えた独楽玩具１について、その実施形態の１例を示したものである。すなわち、図１のものは立体的着脱附属品２としてロボットのキャラクター形状３を採用する場合について示している。このロボット形状の立体的着脱附属品２は独楽玩具単位体１ａに対して嵌め込み式に着脱できるようになっている。つまり、独楽玩具単位体１ａは比較的硬質なプラスチック樹脂などにより形成されるが、これに対して押圧式に嵌め込んで取付られる立体的着脱附属品２は相対的に若干の柔軟性を有するプラスチック樹脂などで形成されるのが望ましいものである。
【００２３】
独楽玩具単位体１ａに対する立体的着脱附属品２の取付けは上記のように押圧式に行われるので比較的強固なものとなし得、したがって、取付状態で回転動作させてもこれが外れてしまう可能性は実質的にないものとして構成される。本発明では立体的着脱附属品２が独楽玩具１の回転動作中に外れてしまうことがないように比較的強固に取付け得るものとなっていればよいので、上記した押圧方式以外の公知手法によってこれを着脱するものとしても何等不都合はない。
【００２４】
また、図１ではロボットのキャラクター形状３に対して、その腕部分４、４に追加的附属品５、５を取付ける様子についても表している。つまり、このような追加的附属品５、５をも取付けた状態で回転動作させると図示のように遠心力によってこれらを広げた状態で回転動作することになる。したがって、このような独楽玩具１同士をバトルさせて遊ぶ場合にこの追加的附属品５がぶつかり合い絡み合うなどの複雑な動きが生じることになるものである。
【００２５】
このような追加的附属品５、５の取付関係は、回転動作による遠心力によってもこれらが外れて飛び散ってしまわないように、より確実なものとなるように配慮すべきである。
【００２６】
本発明の独楽玩具単位体１ａに対する立体的着脱附属品２の取付けは、回転軸６による独楽玩具１の回転動作を阻害しないように、基本的に独楽玩具単位体１ａの上面側部分に対して行われるものである。したがって、専用シューター７に対する独楽玩具１のセット保持は独楽玩具１の下面側中央の回転軸６近傍部分を利用して行われるようになっているが、この場合のセット保持の基本的関係を断面図的に示したのが図２である。
【００２７】
つまり、専用シューター７の回転力伝達凸部８に独楽玩具１の回転軸６を受け入れることができる穴部９を形成しておけば、独楽玩具１をその下面側から専用シューター７にセットするものであっても回転軸６が障害になることはなくなるのである。他の関係については既存の独楽玩具を専用シューターによってセットして回転動作させる遊具の場合と基本的に何等異なっていない。
【００２８】
上記のようにして保持された専用シューター７に独楽玩具１は、押圧ボタン１０を操作することでその保持関係から解放・射出されてスプリング１１に蓄積された捻じれ力によって回転動作し、通常の独楽玩具と同様に遊ぶことが可能となっている。
【００２９】
本発明によるキャラクター形状３を利用した独楽玩具１については、これを専用シューター７にセット保持させた状態を一体的なものとして把握して全体で新たな立体的キャラクター形状１２が形成されるものとして構成することができる。
図３はその１例を示したものであり、独楽玩具単位体１ａに対してカップラーメン容器の形状を模した立体的着脱附属品２を取付けるものとなし、これをロボットの身体形状を模した専用シューター７ａにセット保持させることで両者を一体化したカップラーメンロボットの新たな立体的キャラクター形状１２が形成されるようになっているものである。
【００３０】
この専用シューター７ａの押圧ボタン１０ａはロボット形状の足部分に仕込まれておりそのまま直立状態が維持できる形状となっている。したがって、内蔵スプリング１１の捻じれ力を蓄積してセット保持されている独楽玩具１を回転発射するためには、ロボット形状部分を下方に押し下げ操作すればよい。回転力を付与された独楽玩具１は射出後に着地してそのまま回転動作し続けることができる。
【００３１】
上記は新たな立体的キャラクター形状１２としてカップラーメンロボット形状を採用する場合について示してきたが、本発明は当然にこのような形状のみに限定されるわけではなく、専用シューター７と立体的着脱附属品２を取付けた状態の独楽玩具１のセット保持状態における形状をさまざまな立体的キャラクター形状を利用して形成することが可能である。
【００３２】
図４は、本発明の独楽玩具単位体１ａに対する立体的着脱附属品２としてペットボトルキャップ１３や適宜なサイズとされた円形缶バッチ１４を保持するホルダー１５として機能するものを採用する場合の若干例について示したものである。
すなわち、ホルダー１５を利用してコレクション性を満足するような缶バッチ１４やペットボトルキャップ１３（期間や地域限定によって特別なデザインを施されているものはコレクションの対象となる）を保持できる構造となし、この状態で専用シューター７を利用して独楽玩具１としても遊べるようにしたものである。
【００３３】
上記ホルダー１５に対する缶バッチ１４やペットボトルキャップ１３、独楽玩具単位体１ａの備え付け関係は押し込み方式によって行うことが望ましく、そのためホルダー１５は相対的に軟質なプラスチック樹脂材の如きによって形成されているべきである。また、ペットボトルキャップ１３のサイズは一定のものと理解されるのでそのホルダー１５のサイズも一定のもので構わないが、缶バッチ１４はサイズにヴァリエーションがあり得るので、これを保持すべきホルダー１５についてもそのサイズを各種取り揃えるようにすべきである。
【００３４】
もっとも、缶バッチ１４を保持した状態でも独楽玩具１が回転動作し得るようになっていなければならないので、実質的に採用される缶バッチサイズは２〜３種類程度のものである（大きすぎる缶バッチ用にホルダーを形成すると独楽玩具自体がうまく回転動作しなくなってしまう）。また、ペットボトルキャップ１３の直径と殆ど等しいサイズの缶バッチ１４の場合には、両者を兼用して保持し得るホルダー１５として利用することができる。
【００３５】
さらに、ペットボトルキャップ１３のホルダー１５として利用する場合には、そのままペットボトルに対して強固に嵌まってしまって取外し難いキャップについてのオープナーとしても利用できるものとなっている（キャップが嵌め込まれた状態のホルダーは必然的にキャップ自体より直径が大きくなっているので、梃子の原理によってより少ない力でペットボトルに嵌まっているキャップを回すことができるものである）。
【００３６】
なお、専用シューター７に対するセット保持関係と回転射出操作については、この場合でも上記してきたところとまったく同様である。
【００３７】
また、本発明の独楽玩具単位体１ａとして上記説明を行ってきたものは、何れも独楽玩具１の下面側中心の回転軸６近傍において専用シューター７に対するセット保持を行うタイプのものであるが、独楽玩具単位体１ａのみを回転動作させて遊ぶことも当然に可能であり、この場合には独楽玩具１ａの下面側においてセット保持を行うことに限定される理由はない。すなわち、独楽玩具１ａの上面側においても専用シューター７に対するセット保持ができるような構造を形成しておいて構わない。このような構造は一般化した専用シューターを利用する独楽玩具の場合とまったく同じであり、したがってこの場合の遊び方も従来一般のものと同様になる（図７を参照）。
【００３８】
また、さらに言えば、着脱附属品２を独楽玩具単位体１ａの上面側に付けるとしても、上面側に形成されているセット保持のための構造を阻害しないように規制されたものであれば、本発明は独楽玩具１の下面側からの回転射出方式に限定される必要はないものとなる。
【００３９】
図５は、本発明の立体的着脱附属品２として採用し得るキャラクター形状３の他のヴァリエーションをその追加的附属品５の例と共に示し、併せてこの場合の遊び方の１例についても示したものであり、図６は、本発明の独楽玩具単位体１ａに取付けることができる立体的着脱附属品２についての形状のヴァリエーションを示したものである。
このように、本発明はそのヴァリエーションとして多様なものが実現可能となっていることが理解される。
【００４０】
【発明の効果】
以上説明したような本発明によるならば、専用シューターにセット保持して回転動作させることができる独楽玩具単位体をベースにして多様なデザインや構造を持ったオリジナル独楽玩具を購入者が適宜にカスタム化して得ることが可能となり、多様な趣味性、嗜好性に応えることができる新規な製品によって新たな遊び方などの提案も可能となるものであり、市場に新しい需要を喚起する可能性を秘めた新製品であると理解され、工業的にその価値が高い発明である。
【図面の簡単な説明】
【図１】本発明による立体的な着脱附属品を備えた独楽玩具についてその態様の１例を示した図面である。
【図２】本発明において、独楽玩具下面中央の回転軸近傍に対して専用シューターによるセット保持を可能とする場合の構造の１例を断面図的に示した図面である。
【図３】本発明において、専用シューターにセット保持した状態が一体として立体的キャラクター形状となる場合を示した図面である。
【図４】立体的着脱附属品を缶バッチやペットボトルキャップのホルダーとして利用する場合の本発明品について示した図面である。
【図５】本発明で採用し得る立体的キャラクター形状の別の例を示した図面である。
【図６】本発明で採用し得る立体的着脱附属品の形状としての別の例を示した図面である。
【図７】上面側及び下面側の両方から専用シューターに対するセット保持が可能な構造とされた本発明の独楽玩具単位体についての平面図、断面図、底面図である。
【符号の説明】
１  独楽玩具
１ａ  独楽玩具単位体
２  立体的着脱附属品
３  キャラクター形状
４  その腕部分
５  追加的着脱附属品
６  回転軸
７  専用シューター
７ａ  ロボットの身体形状を模した専用シューター
８  回転力伝達凸部
９  穴部
１０  押圧操作ボタン
１１  スプリング
１２  新たな立体的キャラクター形状
１３  ペットボトルキャップ
１４  缶バッチ
１５  ホルダー
【図１】
0004150773.tif 000002
【図２】
0004150773.tif 000003
【図３】
0004150773.tif 000004
【図４】
0004150773.tif 000005
【図５】
0004150773.tif 000006
【図６】
0004150773.tif 000007
【図７】
0004150773.tif 000008